(57)【特許請求の範囲】
【請求項１】
垂直平板形で剛性を有する基板部１のうち、周縁部分２を除く板部分を前方へ張り出す膨出部３とすると共に、基板部１下端から接地板部５を前方突出した板状部材Ａと、
接地板部５前部と基板部１上部とのいずれかの一方から突出して、他方に先端部を係止させた補助板Ｃと、
上記膨出部３後面開口を覆合して基板部周縁部分２後面に貼着させたシール板Ｂとからなり、
該シール板前面と膨出部３内面とで画成する空間を、内容物収納室とすると共に、上記膨出部の一部に破断用肉薄部10を設けて、該肉薄部破断により注出口19を開口することが可能に設けたことを特徴とする、合成樹脂製容器。
【請求項２】
上記補助板Ｃ及び基板部１を透明材料で形成すると共に、これら補助板Ｃと基板部１と上記シール板Ｂ前面とのうち少なくとも２面に補完用模様を印刷し、これら２面の補完用模様が前方から見て完成模様を形成するように設けたことを特徴とする請求項１記載の合成樹脂製容器。
【請求項３】
上記接地板部５の一部を隆起させて台座16に形成し、該台座上に上記膨出部３の下面部分を載置させることで該膨出部内の内容物の重量を支えることが可能に設けたことを特徴とする請求項１乃至請求項２記載の合成樹脂製容器。
【請求項４】
上記基板部１の膨出部３を、胴部から肩部を介して上端閉塞の首部を起立する密閉容器を前後に2分割したときの前半身形状に形設すると共に、上記基板部１に、首部相当部分3b上半部の下端から左右側縁部に亘って破断用肉薄部10を横設しており、
かつ基板部１下端部と接地板部５後端部との間に第１ヒンジ４を形成すると共に、上記首部相当部分3b左右両側の基板部周縁部分のうち少なくともいずれか一方に係合孔14を、又、上記接地板部５前端部から起立する補助板Ｃの先端部に係合部34を、それぞれ設けて、上記補助板Ｃ上半部を後方へ反らせた状態で上記係合孔14に係合部34を係止させたことを特徴とする、請求項１、請求項２、又は請求項３記載の合成樹脂製容器。
【請求項５】
上記補助板Ｃ下端部と接地板部５前端部とを、その一方から第2ヒンジ32を介して突出した接着代31を、他方に接着することで連結したことを特徴とする、請求項４記載の合成樹脂製容器。
【発明の詳細な説明】
【０００１】
【発明の利用分野】
本発明は、合成樹脂製容器、特に詰替え容器などとして内容物を使い切るタイプの、合成樹脂製容器に関する。
【０００２】
【従来の技術】
詰替え容器などは廉価に形成できることが必要であり、そのため、従来、詰替え様の液体収納容器として、パウチと称する剛性に乏しい容器が用いられている。
【０００３】
【発明の解決しようとする課題】
上記容器は剛性に乏しいため、容器正立状態において上部が屈曲して容器外面に表示された文字、模様などが見難い欠点があった。
【０００４】
又、昨今では包装容器の表示としては内容物の使用方法、使用上の注意などの他、内容物の組成などの従来よりも詳しい情報を消費者に開示することが求められており、従来の商品ではその要請に応えることが困難であった。
【０００５】
本発明は、シート成形などにより廉価に製造することが出来ると共に、模様や商品情報などの表示スペースを広くとることができ、かつその模様などが見易く意匠性も高い合成樹脂製容器を提供するものである。
【０００６】
【課題を解決するための手段】
第1の手段は、垂直平板形で剛性を有する基板部１のうち、周縁部分２を除く板部分を前方へ張り出す膨出部３とすると共に、基板部１下端から接地板部５を前方突出した板状部材Ａと、
接地板部５前部と基板部１上部とのいずれかの一方から突出して、他方に先端部を係止させた補助板Ｃと、
上記膨出部３後面開口を覆合して基板部周縁部分２後面に貼着させたシール板Ｂとからなり、
該シール板前面と膨出部３内面とで画成する空間内を内容物収納室とすると共に、上記膨出部の一部に破断用肉薄部10を設けて、該肉薄部破断により注出口19を開口することが可能に設けている。
【０００７】
第2の手段は、第１の手段を有し、かつ上記補助板Ｃ及び基板部１を透明材料で形成すると共に、これら補助板Ｃと基板部１と上記シール板Ｂ前面とのうち少なくとも２面に補完用模様を印刷し、これら２面の補完用模様が前方から見て完成模様を形成するように設けている。
【０００８】
第3の手段は、上記第1の手段又は第2の手段を有し、かつ上記接地板部５の一部を隆起させて台座16に形成し、該台座上に上記膨出部３の下面部分を載置させることで該膨出部内の内容物の重量を支えることが可能に設けている。
【０００９】
第4の手段は、上記第１の手段、第２の手段、又は第3の手段を有し、かつ上記基板部１の膨出部３を、胴部から肩部を介して上端閉塞の首部を起立する密閉容器を前後に2分割したときの前半身形状に形設すると共に、上記基板部１に、首部相当部分3b上半部の下端から左右側縁部に亘って破断用肉薄部10を横設しており、
かつ基板部１下端部と接地板部５後端部との間に第１ヒンジ４を形成すると共に、上記首部相当部分3b左右両側の基板部周縁部分のうち少なくともいずれか一方に係合孔14を、又、上記接地板部５前端部から起立する補助板Ｃの先端部に係合部34を、それぞれ設けて、上記補助板Ｃ上半部を後方へ反らせた状態で上記係合孔14に係合部34を係止させている。
【００１０】
第５の手段は、上記第１の手段、第２の手段、第3の手段、又は第４の手段を有し、かつ上記補助板Ｃ下端部と接地板部５前端部とを、その一方から第2ヒンジ32を介して突出した接着代31を、他方に接着することで連結している。
【００１１】
【発明の実施の形態】
図１から図４は、本発明の第1の実施形態を示している。
【００１２】
本実施形態に係る容器は、図２に分解状態で示すように、板状部材Ａと、シール板Ｂと、補助板Ｃとで構成されている。
【００１３】
板状部材Ａは、上下に長い垂直略長方形状で周縁部分２を除く中央大半部分を前方へ膨出３した基板部１と、該基板部下端部から、第1ヒンジ４を介して基板部１と左右同巾で前後方向に広巾の接地板部５を前方（図２の状態では下方）へ突出している。
【００１４】
図示例では、上記基板部の膨出部３を、図１に示すように胴部上端から上端閉塞の首部を起立した密封容器を前後に２分割したときの前半身形状に形成している。該半身形状のうち、胴部相当部分3aには印刷又はタックシールなどによる第１の補完用模様７を施し、又、首部相当部分3b中間部を括れ部９とし、かつ、該括れ部から基板部１左右両縁へ亘って破断用肉薄部10を横設している。尚、膨出部３の形状は、必ずしも半容器体形状ではなくとも、内容物の収納及び取出しに適していればどのような形状でもよく、この場合には、上記第１補完用模様7は、膨出部３の一部に、前方向から見易いように設ければよい。
【００１５】
上記基板部周縁部分２は、上記首部相当部分3b上半部に連続する板部分を、左右方向へ突出する摘み部12とすると共に、上記首部相当部分3b下半部の左右に隣接して切欠き13,13を下方へ切り込み、かつ、これら切欠き外方の周縁部分に図２に示す如く左右幅広の係合孔部14a,14aを穿設させている。
【００１６】
接地板部５は、図示の如く、左右方向幅広の中央板部分を上方へ隆起させて台座16となし、該台座上に上記膨出部３の底部相当部分3c下面を載置している。もっとも上記台座16は必ずしも設ける必要がなく、例えば平板上の接地板部上面に上記底部相当部分3c前端部が当接するように設けてもよい。
【００１７】
シール板Ｂは、図２に分解状態で示す如く、前方から見たときに上記基板部２と略同一形状の板材のうち、基板部側係合孔部14a,14aと対応する箇所にシール板側係合孔部14b,14bを横設してなり、基板部周縁部分２後面にシール板Ｂの周縁部分を貼着することで、上記両係合孔部が相互に重合して図１に示す係合孔14,14を形成すると共に、上記膨出部３内面と該膨出部後方のシール板部分前面との間に内容物の収納室を形成可能としている。
【００１８】
好適な図示例では、シール板Ｂを透明材料で形成すると共に、シール板前面乃至後面に第2の補完用模様21を描出する。この模様は、例えば文字や記号など左右方向の向きがあるものを後方へ描出する際は、前方向から見て所要の構図を形成するように左右反対向きに描くことが必要となる。尚、図示例とは異なり、シール板を不透明材料で形成すると共に、シール板前面に第2補完用模様21を付することもできる。又、シール板Ｂは可撓性材料で形成することが望ましい。
【００１９】
補助板Ｃは、上記基板部１及び接地板部５とほぼ同じ横巾を有しかつ基板部１前面を覆合する略長方形状のものであって、接地板部５裏面に貼着させた接着代31の前端から第2ヒンジ32を介して起立している。補助板Ｃの上端部は、左右に分れる二股状部33として、これら二股状部先端部の左右両側に切込みを入れて係合部34,34を形成しており、これら係合部を、図１の如く補助板Ｃ上半部を後方へ反らした状態で、基板部１側の係合孔14両側に係止させている。
【００２０】
上記補助板Ｃは、透明材料で形成しており、かつ補助板前面には図示の如く商品の種類などを表示している。この表示35は、一種の補完用模様として、前方から見たときに他の補完用模様7,21が合体して形成する模様の構図を見る際の邪魔とならないように配置すると良い。
【００２１】
上記板状部材Ａ、シール板Ｂ、及び補助板Ｃは、合成樹脂製のもので、特にシート成形して製造することことが望ましいが、例えばインジェクション成形などにより製造することも可能である。
【００２２】
本実施形態では、図２に示す如くシール板Ｂ及び補助板Ｃを板状部材Ａに組み付ける前の状態において、基板部１の首部相当部分3bを上方開口に形成して、基板部をシール板Ｂを貼着させたときに、上記首部相当部分3b上端部とシール板対応部分との間に図３に示すように内容物充填口18が形成され、該充填口から内容物を充填した後にシール溶着などにより充填口を塞ぐように設けている。
【００２３】
上記構成において、膨出部３と該膨出部後方のシール板部分とで形成される容器相当部分は、台座16及び接地板部５を介して任意の設置面（図示せず）上に置かれている。又、容器を前方から見たときに、上記補完用模様7,21,35は、前後方向に間隔Ｌ1,Ｌ2を介して並存して完成模様を構成しているので、観察者の視点を上下乃至左右に変えることで上記完成模様が立体的に変化する。更に、又、第2補完用模様21は透明なシール板Ｂの後面に前方側から透視可能に設けているので、模様を形成するインクと容器の内容物との接触が避けられ、該接触による退色、変色などの不都合を防止している。
【００２４】
この容器を開封する場合には、図１に示す通り、摘み部12を左右に捻って破断用肉薄部10を破断させ、次に首部相当部分3b上半部を白抜き矢印の如く後方へ倒して図４の如く注出口19を開口させればよい。そして同図に想像線で示す被詰替え容器の口頚部左右両部を、切欠き13,13に係合させてこれら両容器を上下反転させれば内容物を詰替えることができる。
【００２５】
図５から図７は本発明の第２の実施形態を示している。
【００２６】
該実施形態は、図５に示す如く、第1実施形態における板部材Ａと補助板Ｃとを、同図における補助板上端と接地板部５下端との間に形成した第２ヒンジ32を介して連続成形したものである。その他の構成は第1実施形態と同じであるから、同一符号を付することで説明を省略する。
【００２７】
【発明の効果】
本発明は上記構成のものであり、請求項１の発明によれば次の効果を走する。
○本発明の容器は、板状部材Ａ、シール板Ｂ、及び補助板Ｃからなり、これらは何れもシート成形により効率良く製造することができるから、詰替え容器などをして特に廉価に提供することができる。
○板状部材Ａは、基板部１下端部から接地板部５を前方突出しており、かつこれら基板部上部と接地板部前部とのいずれか一方から突出する補助板Ｃの先端部を他方に係止させる構成としたから、上記接地板部５を介して確実に自立状態を維持することができると共に、その補助板Ｃ前面に模様や商品説明などを表示するスペースを十分に確保できる。
【００２８】
請求項２の発明によれば、補助板Ｃ及び基板部１を透明材料で形成したから、補助板、基板部、及びシール板の各前面に補完用模様を描き、前方から見たときにこれら模様が一つの完成模様を立体的に形成するように設けることができ、これにより意匠的効果を高めることができる。
【００２９】
請求項３の発明によれば、接地板部５の一部を台座16に設けたから、膨出部３と該膨出部後方のシール板部分とで形成する容器体部分を確実に支持することができる。
【００３０】
請求項４の発明によれば、商品流通過程において、複数の容器を、図１の如く組み立てる以前の、補助板Ｃが接地板部５から反基板部１側へ伸びた姿態で積み上げ保管することができ、これにより流通コストを削減することができる。
【００３１】
請求項５の発明によれば、板状部材Ａは補助板Ｃとは別体として成形するから、成形品の上下長さが小となり、多数個取り用金型で成形を行う場合にその個取りの数を増加させることができる。
【図面の簡単な説明】
【図１】  本発明の第1の実施形態に係る容器の斜視図である。
【図２】  図１容器の分解斜視図である。
【図３】  図１容器への内容物充填状態を示す要部斜視図である。
【図４】  図１容器の開封状態を示す斜視図である。
【図５】  本発明の第２の実施形態に係る容器の斜視図である。
【図６】  図５容器の分解斜視図である。
【図７】  図５容器への内容物充填状態を示す要部斜視図である。
【符号の説明】
Ａ…板状部材  Ｂ…シール部材  Ｃ…補助板
１…基板部  ２…周縁部分  ３…膨出部  3a…胴部相当部分
3b…首部相当部分  3c…底部相当部分
４…第1ヒンジ  ５…接地板部  ７…補完用模様  ９…括れ部
10…破断用肉薄部  12…摘み部  13…切欠き  14…係合孔
16…台座  18…内容物充填口  19…注出口
21…補完用模様
31…接着代  32…第2ヒンジ  33…二股状部  34…係合部  35…補完用模様
【図１】
0004115729.tif 000002
【図２】
0004115729.tif 000003
【図３】
0004115729.tif 000004
【図４】
0004115729.tif 000005
【図５】
0004115729.tif 000006
【図６】
0004115729.tif 000007
【図７】
0004115729.tif 000008